(57)【要約】      （修正有）【課題】加工作業を簡素化して、短時間で効率的に高品質な海苔養殖用種付け袋を製造することができる種貝収容袋体を提供する。【解決手段】種貝を収容し、海苔網の下方に吊下げられる海苔養殖用種付け袋に用いられる種貝収容袋体１０であって、矩形状に形成された表シート１１と裏シート１２からなり、両側上端部の所定長の切れ目１３によって形成された表裏の折り返し片１５、１６と、折り返し片が上端に連接されて、上方が開口部１７となった収容部１８とを有する。収容部は、折り返された折り返し片の下方の幅方向中央部に、表シートと裏シートをそれぞれ貫通する吊下げ孔２１を有する。また、折り返された折り返し片の下方に、表シートと裏シートをそれぞれ貫通する複数の通水孔２２を有する。【選択図】図１
0003213905.tif 000002
【実用新案登録請求の範囲】
【請求項１】
種貝を収容し、海苔網の下方に吊下げられる海苔養殖用種付け袋に用いられる種貝収容袋体であって、
矩形状に形成された表シートと裏シートからなり、両側上端部の所定長の切れ目によって形成された表裏の折り返し片と、前記折り返し片が上端に連接されて、上方が開口部となった収容部とを有することを特徴とする種貝収容袋体。
【請求項２】
請求項１記載の種貝収容袋体において、前記収容部は、折り返された前記折り返し片の下方の幅方向中央部で、前記表シートと前記裏シートをそれぞれ貫通する吊下げ孔を有することを特徴とする種貝収容袋体。
【請求項３】
請求項１又は２記載の種貝収容袋体において、前記収容部は、折り返された前記折り返し片の下方で、前記表シートと前記裏シートをそれぞれ貫通する複数の通水孔を有することを特徴とする種貝収容袋体。
【考案の詳細な説明】
【技術分野】
【０００１】
本考案は、海苔の養殖において、海苔網への種付けを行うための海苔養殖用種付け袋に用いられる種貝収容袋体に関する。
【背景技術】
【０００２】
従来、海苔の養殖においては、海苔網への海苔の種付け作業が行われている。この海苔の種付け作業には種貝が用いられる。種貝とは、牡蠣殻等の種付け用貝殻に海苔の種（糸状体）を繁殖させたものであり、この種貝を種付け袋（落下傘）の中に入れ、海水中に張られた海苔網の下に吊下げることにより、海苔の胞子が種貝から海水中に放出され、その胞子が海苔網に付着して種付けが行われる。
この種付け作業に用いられるものとして、例えば、特許文献１には、袋が容易に破れないように開口部を補強した海苔養殖用の種付け袋が開示されている。
【先行技術文献】
【特許文献】
【０００３】
【特許文献１】特開２００４−８１３３号公報
【考案の概要】
【考案が解決しようとする課題】
【０００４】
しかしながら、特許文献１では、種付け袋の両側辺近傍で、かつ折り返し部の下方に各々設けられた２つの紐通し孔に吊下げ紐が通され、２つの紐通し孔同士が近接するように縛られている。これにより、袋（収容部）の下縁部に対して縛られた開口部が平面視して略直交する状態となり、袋全体がいびつな形状となるため、開口部や折り返し部の下方の袋本体に設けられた窓からの通水性が低下し易く、胞子が種貝から海水中へ放出され難くなるという問題があった。
また、袋を形成するフィルムの上端側を外側又は内側に１回以上折り返して袋本体に固定することにより、開口部に沿って折り返し部を形成するので、折り返し部に皺が寄り易く、フィルムの折り返し作業に手間がかかり、量産性、品質の安定性に欠けるという問題があった。
さらに、フィルムの上端側を折り返して折り返し部を形成するだけなので、折り返し部を補強材等で補強することができず、開口部の形状安定性、折り返し部の耐久性に欠けるという問題があった。
【０００５】
本考案は、かかる事情に鑑みてなされたもので、加工作業を簡素化して、短時間で効率的に高品質な海苔養殖用種付け袋を製造することができる種貝収容袋体を提供することを目的とする。
【課題を解決するための手段】
【０００６】
前記目的に沿う本考案に係る種貝収容袋体は、種貝を収容し、海苔網の下方に吊下げられる海苔養殖用種付け袋に用いられる種貝収容袋体であって、
矩形状に形成された表シートと裏シートからなり、両側上端部の所定長の切れ目によって形成された表裏の折り返し片と、前記折り返し片が上端に連接されて、上方が開口部となった収容部とを有する。
【０００７】
本考案に係る種貝収容袋体において、前記収容部は、折り返された前記折り返し片の下方の幅方向中央部で、前記表シートと前記裏シートをそれぞれ貫通する吊下げ孔を有することが好ましい。
【０００８】
本考案に係る種貝収容袋体において、前記収容部は、折り返された前記折り返し片の下方で、前記表シートと前記裏シートをそれぞれ貫通する複数の通水孔を有することが好ましい。
【考案の効果】
【０００９】
本考案に係る種貝収容袋体は、矩形状に形成された表シートと裏シートからなり、両側上端部の所定長の切れ目によって形成された表裏の折り返し片と、折り返し片が上端に連接されて、上方が開口部となった収容部とを有するので、独立した（分離された）表裏の折り返し片をそれぞれ手作業で簡単に略一定の高さで収容部の外側に折り返すことができ、加工作業性に優れる。また、折り返した表裏の折り返し片の下端側を表シートと裏シートにそれぞれ溶着するだけで中空（筒状）の保形材挿通部を形成することができる。これにより、保形材挿通部の両側に開口した挿入口から簡単に保形材を挿通して、収容部の開口部周縁を補強すると共に、開口部の形状を安定的に保持することが可能な海苔養殖用種付け袋を製造できる。
収容部が、折り返された折り返し片の下方の幅方向中央部で、表シートと裏シートをそれぞれ貫通する吊下げ孔が設けられている場合、後から孔加工等を行うことなく、簡単に結束バンド等の吊下げ部材を取り付けて海苔養殖用種付け袋を完成させることができる。
収容部が、折り返された折り返し片の下方で、表シートと裏シートをそれぞれ貫通する複数の通水孔が設けられている場合、完成した海苔養殖用種付け袋を海苔網の下に吊下げた際に、収容部の内部と、周囲の海水との間の通水性が向上し、種貝から放出される胞子を開口部だけでなく、通水孔からも海水中に放出させて、海苔網の広範囲に種付けを行うことができる。
【図面の簡単な説明】
【００１０】
【図１】（Ａ）は本考案の一実施の形態に係る種貝収容袋体の斜視図であり、（Ｂ）は同種貝収容袋体を加工して保形材挿通部を形成した状態を示す斜視図である。
【図２】同種貝収容袋体の保形材挿通部に保形材を挿通した状態を示す斜視図である。
【図３】同種貝収容袋体を用いて製造された海苔養殖用種付け袋の斜視図である。
【考案を実施するための形態】
【００１１】
続いて、添付した図面を参照しつつ、本考案を具体化した実施の形態につき説明し、本考案の理解に供する。
図１〜図３に示すように、本考案の一実施の形態に係る種貝収容袋体１０は、海苔の養殖において、海苔網への種付けを行うための海苔養殖用種付け袋３０の製造に用いられるものである。
図１（Ａ）、（Ｂ）に示すように、種貝収容袋体１０は、低密度ポリエチレン（ＬＤＰＥ）等の合成樹脂フィルムで矩形状に形成された表シート１１と裏シート１２からなっている。表シート１１と裏シート１２の両側上端部は、表シート１１と裏シート１２の外側線に沿う所定長（例えば２０ｍｍ程度）の切れ目１３によって分離され、表裏の折り返し片１５、１６が形成されている。そして、折り返し片１５、１６の下端には、上方が開口部１７となって、開口部１７を除く三方が封止された収容部１８が連接されている。つまり、収容部１８の上端に折り返し片１５、１６が連接されており、折り返し片１５、１６の下端部（折り返し片１５、１６と収容部１８との境目）が、折り返し片１５、１６の折り返し位置１９となっている。
表シート１１及び裏シート１２のそれぞれの大きさは適宜、選択することができるが、例えば縦１６０ｍｍ×横１４０ｍｍ程度である。なお、表シート１１及び裏シート１２の厚さは、材質等に応じて適宜、選択することができるが、例えば９０μｍ程度であれば、海苔養殖用種付け袋３０の使用時（種付け期間中）に破れることなく種貝を保持することができる。
【００１２】
次に、図１（Ａ）、（Ｂ）、図２、図３に示すように、収容部１８の幅方向中央部には、表シート１１と裏シート１２をそれぞれ貫通する吊下げ孔２１が設けられている。また、収容部１８の幅方向に間隔を空けて、表シート１１と裏シート１２をそれぞれ貫通する４つの通水孔２２が設けられている。吊下げ孔２１及び通水孔２２の位置は、折り返し位置１９に沿って折り返される折り返し片１５、１６より下方に形成される。これにより、海苔養殖用種付け袋３０の製造時に折り返される折り返し片１５、１６と、吊下げ孔２１及び通水孔２２が重なることがない。
【００１３】
以上のように構成された種貝収容袋体１０を供給された作業者は、簡単な作業で手間をかけることなく、図３に示す海苔養殖用種付け袋３０を製造することができる。
まず、図１（Ａ）の状態から、折り返し片１５、１６をそれぞれの下端部の折り返し位置１９に沿って収容部１８の外側に折り返す。このとき、折り返し片１５、１６が表裏で独立しているため、手作業で簡単に略均一の高さ（例えば２０ｍｍ程度）で折り返すことができ、皺も寄らず、品質が安定する。そして、図１（Ｂ）に示すように、折り返し片１５、１６の下端側をそれぞれ収容部１８の下辺と平行な一条の溶着部２４で表シート１１と裏シート１２に溶着することにより、収容部１８の開口部１７の周縁（表シート１１と裏シート１２の上端側）に、中空（筒状）の保形材挿通部２５を形成することができる。なお、折り返し片１５、１６の下端部は、複数条の溶着部で溶着してもよいし、収容部１８の幅方向に適宜間隔をあけて断続的に溶着してもよい。
【００１４】
保形材挿通部２５の両側には、表シート１１及び裏シート１２の外側線に沿って開口した挿入口２６が形成されるので、図２に示すように、可撓性を有する保形材２７を挿入口２６から簡単に挿通することができる。保形材２７を保形材挿通部２５に沿って環状に配置することにより、開口部１７の周縁を補強すると共に、開口部１７の形状を平面視して長円形に保持することができる。なお、保形材２７は、開口部１７の形状を保持できる可撓性を有していればよい。例えば、ポリエチレンや塩化ビニル樹脂等の合成樹脂で形成された線材や金属製の芯材の外周を合成樹脂で被覆したもの（例えば、直径２〜３ｍｍ程度）が保形材２７として好適に用いられる。
【００１５】
次に、図３に示すように、吊下げ孔２１（例えば直径５ｍｍ程度）に吊下げ部材として結束バンド２８を取り付けることにより、海苔養殖用種付け袋３０が完成する。結束バンド２８により、長円形の開口部１７の短径方向の幅を略一定に保つと共に、海苔網の下方に張設される取付紐に、海苔養殖用種付け袋３０を簡単に吊下げることができる。開口部１７の短径方向の幅が略一定に保たれることで、収容部１８に収容される種貝が開口部１７から外部に落下し難く、また、種貝から放出される胞子を開口部１７から海水中にスムーズに放出して海苔網への種付けを確実に行うことができる。なお、吊下げ孔２１は、完成した海苔養殖用種付け袋３０を吊下げることができればよく、その大きさは、使用する吊下げ部材の種類によって、適宜、選択することができる。例えば、吊下げ部材としては、従来公知の結束バンドの他に、合成繊維製や合成樹脂製の紐体、針金等の線材、金属製の芯材を合成樹脂で被覆したもの（例えばビニールタイ）等を用いることができる。
【００１６】
図１（Ａ）、（Ｂ）、図２、図３に示すように、収容部１８に複数の通水孔２２（例えば直径１０ｍｍ程度）が設けられていることにより、海苔養殖用種付け袋３０の使用時に、収容部１８の内部と、周囲の海水との間の通水性が向上し、海苔養殖用種付け袋３０の姿勢を安定化させることができる。また、収容部１８に収容される種貝から放出される胞子を開口部１７だけでなく、通水孔２２からも海水中に放出させて、海苔網の広範囲に効率的に種付けを行うことができる。なお、通水孔２２の形状、数、配置は、適宜、選択することができる。特に、通水孔２２の配置が、表シート１１側と裏シート１２側で一致している場合、種貝収容袋体１０の加工が容易になるが、必ずしも一致している必要はない。
【００１７】
以上、本考案の実施の形態を説明したが、本考案は、上記した形態に限定されるものではなく、要旨を逸脱しない条件の変更等は全て本考案の適用範囲である。
種貝収容袋体の表シート及び裏シートは、透明で可撓性及び柔軟性を有しているのが好ましいが、その材質は、適宜、選択することができる。よって、低密度ポリエチレン（ＬＤＰＥ）以外にも、例えば、ポリアミド、ビニロン、ポリオレフィン等を用いることができる。また、熱可塑性の脂肪族ポリエステル、ポリ乳酸、ポリカプロラクトン、ポリビニルアルコール、酢酸セルロース等の生分解性樹脂を用いれば、使用中に落下する等して回収できなかった場合に、海中で自然分解されるので、環境保護性に優れる。
【符号の説明】
【００１８】
１０：種貝収容袋体、１１：表シート、１２：裏シート、１３：切れ目、１５、１６：折り返し片、１７：開口部、１８：収容部、１９：折り返し位置、２１：吊下げ孔、２２：通水孔、２４：溶着部、２５：保形材挿通部、２６：挿入口、２７：保形材、２８：結束バンド（吊下げ部材）、３０：海苔養殖用種付け袋
【図１】
0003213905.tif 000003
【図２】
0003213905.tif 000004
【図３】
0003213905.tif 000005